(57)【要約】【課題】ネットワーク対応したデバイスで、かつカラートナー切れの場合、カラー印刷を行いたいユーザはトナーを交換しなければ印刷できないが、モノクロ印刷は行うことができる。カラー印刷を行いたいユーザがトナーを交換していると、別のユーザがモノクロジョブを印刷しようとしても、カラートナーの交換が終わり、キャリブレーションが終わるまでモノクロ印刷を行うことができない。【解決手段】トナー交換中にモノクロジョブが投入されていることを表示する手段と、デバイス上にトナー交換を中断してモノクロジョブ印刷を許可する手段を設け、トナー交換中のユーザがモノクロ印刷を許可した場合、トナー交換を中断にする際にトナー交換モードをモノクロジョブを印刷するためにモードを抜けたこと、トナー交換を中断していた位置を記憶し、モノクロ印刷終了後、トナー交換モードに自動で入り直し、記憶しておいた位置にトナーを移動させる。【選択図】  図６
2015145897.tif 000002
【特許請求の範囲】
【請求項１】
複数のトナーを回転移動して印刷を行う印刷装置において、
現像機ユニット（７２６）を使用して所定のトナーを交換可能位置（４０１）に移動するように制御するトナー移動手段（Ｓ５１５）と、
通常動作を行う第１のモードと、
トナー交換を行うことを優先するように制御する第２のモードとを持ち、
前記第１のモードと前記第２のモードを切り替えるモード切替手段（Ｓ５０２、Ｓ５
０８，Ｓ５１４、Ｓ５１６）と、
印刷可能なモノクロジョブがあることを検知するモノクロジョブ検知手段（Ｓ５０
３、Ｓ５０４）と、
前記第２のモード中に前記モノクロジョブ検知手段でモノクロジョブがあることを検
知した場合、トナーの交換状況を記憶するトナー交換状況記憶手段（Ｓ５０７）と、
モノクロジョブを印刷するために必要な準備動作を判断し、その実行を指示する準備
動作指示手段（Ｓ５０９、Ｓ５１０）と、
前記交換状況記憶手段で記憶した後、前記モード切替手段で前記第２のモードから前
記第１のモードに切り替え、前記準備動作指示手段で印刷の準備を行い、モノクロ
ジョブの印刷が完了した後、前記トナー交換状況記憶手段において記憶しておいた情
報からトナーを交換する作業を再開する必要があるかどうかを判断する再開必要性判
断手段（Ｓ５１３）と、
前記再開必要性判断手段でトナー交換の必要があると判断した場合、前記トナー交換
状況記憶手段において記憶していた状態になるように前記トナー移動手段でトナーを
移動させることを特徴とする印刷装置。
【請求項２】
前記モノクロジョブ検知手段で印刷可能なモノクロジョブがあることを検知した後、モノクロジョブ印刷許可手段（３１６）による印刷許可を検知する印刷許可検知手段（Ｓ５０５）が検知した場合、前記トナー交換状況記憶手段でトナー交換状況を記憶し、モノクロジョブ印刷を開始することを特徴とする請求項１に記載の印刷装置。
【請求項３】
前記トナー交換状況記憶手段で記憶する情報は、前記第２のモード中にモノクロジョブ印刷のために前記第１のモードに移行したことと、トナー交換を中断した時のトナーの位置を含むことを特徴とする請求項１又は請求項２に記載の印刷装置。
【発明の詳細な説明】
【技術分野】
【０００１】
本発明は、複数のトナーカートリッジ(以下、トナーと呼ぶ)を用いて印刷を行う印刷装置に関するものである。
【背景技術】
【０００２】
印刷装置では、トナー切れ等のトナーに関するエラーが発生した場合、トナーを交換する必要がある。特に複数のトナーを回転移動して印刷を行う印刷装置では、あるトナーにてエラーが発生すると、そのトナーを交換可能な位置に移動して、ユーザがトナーを交換できるようにしていた。
【０００３】
このような技術としては操作部からの指定やカバー開閉操作でユーザの所望する色のトナーを交換位置に移動させる方法や印刷中などにトナーのエラーを検知するとそのトナーを交換位置に移動するように制御するものが知られている（特許文献１、２）。
【０００４】
また、複数のトナーを回転移動して印刷を行う印刷装置では、トナーを回転移動するためにはカバーを閉じなければならないが、カバーを閉じるとその都度デバイスが準備動作に入ってしまう。複数のトナーを続けて交換したい場合、トナーを回転移動するたびにデバイスが準備動作に入ってしまうとトナー交換の効率が非常に低くなってしまう。そのため、トナー交換する際にカバーを閉じてもデバイスが準備動作に入らないように制御し、さらに印刷も受け付けないようなトナー交換専用のモード(以下、トナー交換モードと呼ぶ)を設けてトナー交換の操作性を向上させている。
【先行技術文献】
【特許文献】
【０００５】
【特許文献１】特開平０６−２５８９０５号公報
【特許文献２】特開２００３−３２３０２７号公報
【発明の概要】
【発明が解決しようとする課題】
【０００６】
カラートナー切れの場合、カラー印刷を行いたいユーザはトナーを交換しなければ印刷できないが、モノクロ印刷は行うことができる。しかし、カラー印刷を行いたいユーザがトナーを交換しているときに、別のユーザがモノクロジョブを印刷できてしまうと、カラートナー交換中にモノクロジョブが印刷され、トナー交換作業がやり直しになってしまう。一方、上述したトナー交換モード中はトナー交換を優先し、トナー交換中は印刷ができないようにするとカラートナーの交換が終わりトナー交換後のキャリブレーションが終わるまでモノクロ印刷を行うことができず、モノクロ印刷を行うのに時間がかかってしまう。
【０００７】
仮にトナー交換を中断してモノクロ印刷を行うようにした場合も途中まで行ったトナー交換によるキャリブレーションが発生するため、その実行が終わるまでモノクロ印刷実行が遅くなってしまう。さらに、カラートナーの交換を再開するためには再度トナー交換モードに入り直し、交換したいトナーを交換位置に移動させる必要があった。ネットワーク対応した複数のユーザが利用するデバイスでは、このようにカラートナーの交換したいユーザとモノクロ印刷したいユーザとが存在する可能性があるため、これらの課題が特に顕著となる。
【０００８】
そこで、本発明では、上述したような印刷のパフォーマンスとユーザビリティの問題をともに解決する方法を提案する。
【課題を解決するための手段】
【０００９】
本発明の構成は、
複数のトナーを回転移動して印刷を行う印刷装置において、
現像機ユニット（７２６）を使用して所望のトナーを交換可能位置（４０１）に移動するように制御するトナー移動手段（Ｓ５１５）と、
通常動作を行う第１のモードと、
トナー交換を行うことを優先するように制御する第２のモードとを持ち、
前記第１のモードと前記第２のモードを切り替えるモード切替手段（Ｓ５０２、Ｓ５
０８，Ｓ５１４、Ｓ５１６）と、
印刷可能なモノクロジョブがあることを検知するモノクロジョブ検知手段（Ｓ５０
３、Ｓ５０４）と、
前記第２のモード中に前記モノクロジョブ検知手段でモノクロジョブがあることを検
知した場合、トナーの交換状況を記憶するトナー交換状況記憶手段（Ｓ５０７）と、
モノクロジョブを印刷するために必要な準備動作を判断し、その実行を指示する準備
動作指示手段（Ｓ５０９、Ｓ５１０）と、
前記交換状況記憶手段で記憶した後、前記モード切替手段で前記第２のモードから前
記第１のモードに切り替え、前記準備動作指示手段で印刷の準備を行い、モノクロ
ジョブの印刷が完了した後、前記トナー交換状況記憶手段において記憶しておいた情
報からトナーを交換する作業を再開する必要があるかどうかを判断する再開必要性判
断手段（Ｓ５１３）と、
前記再開必要性判断手段でトナー交換の必要があると判断した場合、前記トナー交換
状況記憶手段において記憶していた状態になるように前記トナー移動手段でトナーを
移動させることを特徴とする、印刷装置である。
【００１０】
この構成によりユーザはトナー交換中であってもすばやくモノクロジョブを印刷する
ことが可能であり、モノクロジョブ印刷後も自動でトナー交換を中断した状態に戻るため、スムーズにトナー交換作業を再開することが可能である。
【発明の効果】
【００１１】
本発明によれば、トナー交換中にモノクロジョブを印刷するまでの時間を最小限にすることが可能であり、モノクロジョブ印刷後も自動でトナー交換を中断した状態に戻るため、トナー交換を再開するための手間も最小限にすることが可能である。
【図面の簡単な説明】
【００１２】
【図１】本発明の全体構成を示す図である。
【図２】ＰＣの制御構成を示すブロック図である。
【図３】デバイスの制御構成を示すブロック図である。
【図４】本発明を適用可能な回転現象ロータリ方式のカラーレーザプリンタの内部構造を示す図である。
【図５】回転現像ロータリ方式のカラーレーザプリンタにおいてトナーを交換するための仕組みを説明する図である。
【図６】コントローラユニットがトナー交換モード中にモノクロジョブを優先して印刷し、モノクロジョブ印刷後にトナー交換モードに戻るまでの処理の判断フローを示す図である。
【発明を実施するための形態】
【００１３】
［実施例１］
本発明に係る第１実施形態に係る画像形成装置について、図面を参照して説明する。
【００１４】
図１は本発明の主なユースケースを示す図である。デバイス（１０３）はＰＣ（１０２）とＵＳＢあるいはＮＥＴＷＯＲＫで接続されている。ユーザ（１０１）はＰＣ（１０２）で動作するアプリケーションから指示を行うことによりデバイス（１０３）に任意の設定や印刷指示を行う事が出来る。
【００１５】
図２は本発明の実施形態のＰＣ（１０２）のハードウェア構成を示す図である。ＣＰＵ（２０１）は、システム全体を制御するプロセッサであり、情報処理装置が行う各種処理を実行している。ＲＡＭ（２０２）は、ＣＰＵ（２０１）が動作するためのシステムワークメモリであり、プログラムを記録するためのプログラムメモリとして使用される。また、ＰＣ（１０２）が持つソフトウェアはＲＡＭ（２０２）に格納されて実行される。ＨＤＤ（２０３）はデータ記憶領域である。操作部Ｉ／Ｆ（２０４）は、操作部（２０６）とのインターフェース部で、操作部（２０６）からの入力信号を受け付ける。また、操作部（２０６）からユーザが入力した情報を、ＣＰＵ（２０１）に伝える役割をする。表示部Ｉ／Ｆ（２０９）は、表示部（２１０）とのインターフェース部で、ＣＰＵ（２０１）の制御に応じて表示部（２１０）への出力信号を出力する。
【００１６】
ＵＳＢインタフェース（２０８）は、ＵＳＢデバイスに接続するための機能ユニットで、ＵＳＢを介して他のデバイスのステータスを取得したり、ステータスを返したりするために使用される。ＬＡＮインタフェース（２０７）は、ＬＡＮに接続するための機能ユニットで、ＬＡＮを介して他のデバイスのステータスを取得したり、ステータスを返したりするために使用される。以上のデバイスがシステムバス（２０５）上に配置される。
【００１７】
図３は本発明の実施形態のデバイス（１０３）のハードウェア構成を示す図である。コントローラユニット（３１３）は、画像出力デバイスとして機能するデバイス（１０３）と接続することで、画像データやデバイス情報の入出力を行う。ＣＰＵ（３０１）は、システム全体を制御するプロセッサである。ＲＡＭ（３０３）は、ＣＰＵ（３０１）が動作するためのシステムワークメモリであり、プログラムを記録するためのプログラムメモリや、画像データを一時記録するための画像メモリでもある。ＮＶＭＥＭ（３０４）は不揮発性のメモリであり設定情報等を記録する。ＦＬＡＳＨＲＯＭ（３０２）は書き換え可能な不揮発性メモリであり、システムを制御するための各種制御プログラムが記録される。
【００１８】
ＵＳＢインターフェース（３０６）は、ＰＣ（１０２）とのＵＳＢ接続を可能にする。ＬＡＮインターフェース（３１１）はＰＣ（１０２）とのＬＡＮ接続を可能にする。操作部インタフェース（３１５）はデバイス上の操作部（３１６）との接続を可能にする。以上のデバイスがシステムバス（３０５）上に配置される。操作部（３１６）上にはボタンやLEDなどがあり、ユーザ（１０１）からの入力を受けたり、ユーザ（１０１）へデバイス（１０３）の状態を表示する。イメージバス（ＩＭＡＧＥ  ＢＵＳ）Ｉ／Ｆ（３０７）は、システムバス（３０５）と画像データを高速で転送するイメージバス（３１２）とを接続し、データ構造を変換するバスブリッジである。
【００１９】
イメージバス（３１２）は、ＰＣＩバスまたはＩＥＥＥ１３９４で構成される。イメージバス（３１２）上には以下のデバイスが配置される。ラスタイメージプロセッサ（ＲＩＰ）（３０８）はＰＤＬコードのようなベクトルデータをビットマップイメージに展開する。プリンタＩ／Ｆ（３１０）は、プリンタ部（３１４）とコントローラユニット（３１３）を接続し、画像データの同期系／非同期系の変換やデータのやりとりを行う。画像処理部（３０９）は、入力画像データに対し補正、加工、編集を行ったり、プリント出力画像データに対して、プリンタの補正、解像度変換等を行う。
【００２０】
また、これに加えて、画像データの回転や、多値画像データに対してはＪＰＥＧ、２値画像データはＪＢＩＧ、ＭＭＲ、ＭＨ等の圧縮伸張処理を行う。プリンタ部（３１４）は、ラスタイメージデータを用紙上の画像に変換する。その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、ＣＰＵ（３０１）からの指示によって開始する。
【００２１】
図４は本発明の実施形態のデバイス（１０３）の断面図を示す図である。スキャナ（７１１）は、画像信号を光信号に変換するレーザ出力部（不図示）、多面体（（例えば８面体）のポリゴンミラー（７１２）、このミラー（７１２）を回転させるモータ（不図示）及びｆ／θレンズ（結像レンズ、７１３）などを有する。レーザ出力部から出射したレーザ光はポリゴンミラー（７１２）の一側面で反射され、ｆ／θレンズ（７１３）及び反射ミラー（７１４）を通って図示矢印方向に回転している感光ドラム（７１５）の面を線状に走査（ラスタスキヤン）する。
【００２２】
これによって、原稿画像に対応した静電潜像が感光ドラム（７１５）の面上に形成されることになる。感光ドラム（７１５）の周辺には、一次帯電器（７１７）、全面露光ランプ（７１８）、転写されなかつた残留トナーを回収するクリーナ部（７２３）、転写前帯電器（７２４）が配設されている。現像器ユニット（７２６）はレーザ露光によって、感光ドラム（７１５）の表面に形成された静電潜像の現像を行うユニットであり以下に示す構成よりなる。現像スリーブ（７３１Ｙ、７３１Ｍ、７３１Ｃ、７３１Ｂｋ）は感光ドラム７１５と接して直接現像を行う。
【００２３】
トナー（７３０Ｙ、７３０Ｍ、７３０Ｃ、７３０Ｂｋ）は予備トナーを保持し、トナー残量センサ（不図示）によってトナー残量が測定される。スクリユー（７３２）は現像剤の移送を行う。スリーブ（７３１Ｙ、７３１Ｍ、７３１Ｃ、７３１Ｂｋ）、トナー（７３０Ｙ、７３０Ｍ、７３０Ｃ、７３０Ｂｋ）及びスクリユー（７３２）は現像器ユニット（７２６）の中心軸Ｐの周囲に配設されている。尚、前述した各構成要素の符号のＹ，Ｍ，Ｃ，Ｂｋは色を示している。つまり、“Ｙ”はイエロー、“Ｍ”はマゼンタ、“Ｃ”はシアン、“Ｂｋ”はブラックである。ドア（７０１）はユーザ（１０１）が開閉可能である。ドア（７０１）の真下に位置するトナー（７３０Ｙ、７３０Ｍ、７３０Ｃ、７３０Ｂｋ）のみユーザは取り外しが可能である。ドア（７０１）の真下を交換位置と呼ぶ。図４ではブラックのトナー（７３０Ｂｋ）が交換位置に存在している。
【００２４】
トナー（７３０Ｙ、７３０Ｍ、７３０Ｃ、７３０Ｂｋ）を図の軸のＰを中心に回転することで交換位置のトナー色を変更することができる。現像器ユニット位置センサ（７４２）は、現像器ユニット（７２６）の回転位置を検出する。イエローのトナー像を形成する時には、本図の位置でイエロートナー現像処理を行う。また、マゼンタのトナー像を形成する時は、現像器ユニット（７２６）を図の軸のＰを中心に回転して、感光ドラム（７１５）にマゼンタ現像器内の現像スリーブ（７３１Ｍ）が接する様にする。シアン、ブラックの現像も同様に作動する。転写ドラム（７１６）は感光ドラム（７１５）上に形成されたトナー像を用紙に転写する。アクチユエータ板（７１９）は転写ドラム（７１６）の移動位置を検出する。ポジションセンサ（７２０）はこのアクチユエータ板（７１９）と近接することにより転写ドラム（７１６）がホームポジシヨン位置に移動したことを検出する。
【００２５】
アクチユエータ板（７１９）、ポジションセンサ（７２０）、転写ドラムクリーナ（７２５）、紙押えローラ（７２７）、徐電器（７２９）は転写帯電器であり、転写ローラ（７１６）の周囲に配設されている。一方、給紙カセット（７３５，７３６）は用紙（紙葉体、７９１）を収納する。実施の形態では給紙カセット（７３５）には例えばＡ４サイズの用紙、給紙カセット（７３６）にはＡ３サイズの用紙が収納されているものとする。用紙を給紙搬送行うとき、給紙ローラ（７３７，７３８）により、カセット（７３５，７３６）から用紙を給紙する。給紙及び搬送のタイミングをタイミングローラ（７３９，７４０，７４１）によってとる。これらを経由して紙ガイド（４９０）に導かれて先端をグリッパ（７２８）に但持されながら転写ドラム（７１６）に巻き付き、像形成過程に移行する。
【００２６】
上記構成により、ＹＭＣＫ４色によるフルカラー印刷を実現する。図５は、図４の回転現像ロータリ方式のカラーレーザプリンタにおいてトナーを交換するための仕組みを説明する図である。ユーザはトナーを交換する場合、ドア（７０１）を開ける。ドア（７０１）が開いた真下の位置がトナーを交換可能な交換可能位置（４０１）であり、ユーザはその位置にあるトナーを交換することができる。なお、トナーの交換可能位置は図５の例に限るものではなく、印刷装置の構造に応じて異なっていてよい。
【００２７】
トナー７３０Ｃ、７３０Ｍ、７３０Ｙ、７３０ＢｋはそれぞれＣｙａｎ、Ｍａｇｅｎｔａ、Ｙｅｌｌｏｗ、Ｂｌａｃｋのトナーである。図５の例では、トナー７３０Ｂｋが交換可能である。
【００２８】
トナー７３０Ｃ、７３０Ｍ、７３０Ｙ及び７３０Ｂｋのそれぞれは、中心軸Ｐを中心に回転する現象器ユニット（７２６）に装着されている。コントローラユニット（３１３）から交換位置移動指示を受けるとデバイス（１０３）は現象器ユニット（７２６）を回転し、任意のトナーを交換可能位置に移動することで、任意のトナーを交換することが可能になる。
【００２９】
本実施例では、トナー７３０Ｃ、７３０Ｍ、７３０Ｙのいずれかにおいてトナー無しが発生していたとしても、トナー７３０Ｂｋのトナー残量があれば、モノクロ印刷を行うことができる。このとき、トナー無しとなっているトナーを（複数のトナーがトナー無しになっている場合は順番に）交換位置（４０１）に移動させるようにするとトナー交換のユーザビリティが向上する。このように制御する時をトナー交換モードと呼ぶことにする。本実施例ではトナー交換モード中はジョブの投入は可能だが、ユーザの許可なしでの印刷はできないものとする。また、トナー交換モードはトナー無しになるなどトナーを交換する必要がある場合に自動で入るようにしてもよいし、ユーザが指示して入るようにしてもよい。本実施例では、ユーザが指示してトナー交換モードに入る場合を例にして記載する。
【００３０】
3色のカラートナーのいずれかがトナー無しになっていて、モノクロ印刷のみ可能な場合については、このトナー交換モードの継続とモノクロ印刷を実行するためにトナー交換モードを中断するかをユーザが判断する。このようにすることでトナー交換のユーザビリティとモノクロ印刷の素早い実行とを両立することができる。この処理について図６を用いて説明する。
【００３１】
なお、本実施例では説明を簡単にするためにトナー無しになったことをもって、トナーを交換する場合で説明するが、実際はその他の異常が起きた場合もトナーを交換する必要がある。
【００３２】
図６は通常の状態からトナー交換モードに入った後にモノクロジョブが投入された際の処理の流れを示している。ユースケースとしては、トナー７３０Ｃ、７３０Ｍ、７３０Ｙのトナーがなくなっており、カラー印刷を行うためにユーザAがこれらを交換しようとしている際にユーザBがモノクロジョブを投入してきた場合を想定している。
【００３３】
コントローラユニット（３１３）は通常の状態のときはユーザからトナー交換モードへの移行指示がないかどうかを常に監視する（Ｓ５０１）。ここでユーザからトナー交換モードへの移行指示があればコントローラユニット（３１３）はトナー交換モードへ移行する（Ｓ５０２）。ここでデバイス（１０３）上の操作部（３１６）から所望のトナーを交換可能位置（４０１）に移動させることができ、交換可能位置（４０１）のトナーを交換することができる。このときモノクロジョブの印刷指示がＰＣ（１０２）などから投入されているかどうかをコントローラユニット（３１３）は監視する（Ｓ５０３）。Ｓ５０３でモノクロジョブが投入されていた場合は、デバイス（１０３）がモノクロジョブを印刷可能な状態かどうかを判断する（Ｓ５０４）。
【００３４】
ここでモノクロジョブを印刷可能な状態かどうかを判断するために、例えばトナー７３０Ｂｋのトナー残量があること、用紙がセットされていることなどをチェックする。Ｓ５０４でモノクロジョブが印刷可能な状態だと判断された場合、操作部（３１６）上のモノクロジョブ印刷許可ボタン（不図示）が押されていないかどうかをコントローラユニット（３１３）は監視する（Ｓ５０５）。ここでＳ５０４でモノクロジョブが印刷可能な状態だと判断された場合、モノクロジョブ印刷許可ボタンを点滅させるなどして、モノクロジョブがきていることをユーザに明示的に示すようにしてもよい。
【００３５】
Ｓ５０３、５０４、５０５のいずれかでＮｏだった場合、コントローラユニット（３１３）はトナー交換モードを抜ける指示がないかどうかを監視する（Ｓ５０６）。ここでトナー交換モードを抜ける指示はＰＣ（１０２）から行ってもデバイス（１０３）の操作部（３１６）から行ってもよい。Ｓ５０６でトナー交換モードを抜ける指示があった場合はトナー交換モードを抜ける（Ｓ５１６）。Ｓ５１６でトナー交換モードを抜けたらＳ５０１の状態に戻る。Ｓ５０６でトナー交換モードを抜ける指示がなかった場合はＳ５０３の状態に戻る。
【００３６】
Ｓ５０５でモノクロジョブ印刷許可ボタンが押されたことをコントローラユニット（３１３）が検知したら、モノクロジョブでトナー交換モードを中断したこととトナーがどの位置にあったかどうかという情報をＲＡＭ（３０３）に記憶する（Ｓ５０７）。ここでデバイス（１０３）の電源が切れても情報を保存しておきたい場合はＮＶＭEM（３０４）に保存してもよい。本実施例では、このときトナー７３０Ｙを交換し、トナー７３０Ｍが交換可能位置（４０１）にある状態だったとする。Ｓ５０７で情報を保存したらコントローラユニット（３１３）はトナー交換モードを抜ける（Ｓ５０８）。
【００３７】
コントローラユニット（３１３）はプリンタ部（３１４）にモノクロジョブ印刷の準備動作を行うように指示する（Ｓ５０９）。ここで、例えばトナーを一切交換していなかった場合などモノクロジョブ印刷の準備がすでにできている場合はこの処理を省略してもよい。
【００３８】
また、モノクロジョブ印刷の準備動作を行った後、トナーを交換している場合はキャリブレーションを行うことが、適切な画質で印刷ができるようにするためにはが望ましい。しかし、一般的にはキャリブレーションを行うためには時間がかかるため、その分モノクロジョブの印刷開始が遅れてしまう。そこで本実施例ではコントローラユニット（３１３）はキャリブレーションを行わないように制御する（Ｓ５１０）。ここで画質を優先して、キャリブレーションを行うようにしてもよいし、トナー交換を行っていない場合のみキャリブレーションを省略するようにしてもよい。
【００３９】
デバイス（１０３）がモノクロジョブを実行し、モノクロジョブが完了したことをコントローラユニット（３１３）が検知したら、モノクロジョブでトナー交換を中断したかどうかをＳ５０７で保存した情報をもとに判断する（Ｓ５１１、５１２、５１３）。ここで、本実施例ではＳ５１３の判断を行うタイミングはモノクロジョブが１ジョブのみ印刷された後とする。このようにすることで大量のジョブが印刷されてしまい、ユーザ（１０１）がトナー交換の作業再開を延々と待たされることがない。もちろん、１ジョブに制限せずにいくつのジョブ数まで許可するかをユーザが選択できるようにしてもよいし、無制限にしてもよい。
【００４０】
Ｓ５１３でモノクロジョブでトナー交換を中断していないと判断された場合、Ｓ５０１の状態に戻る。
【００４１】
Ｓ５１３でモノクロジョブでトナー交換を中断したと判断された場合、コントローラユニット（３１３）はトナー交換モードに移行する（Ｓ５１４）。
【００４２】
さらにコントローラユニット（３１３）はＳ５０７で保存した情報をもとにトナーをトナー交換を中断した時の状態に移動するようにプリンタ部（３１４）に指示する（Ｓ５１５）。ここで、本実施例の場合はトナー７３０Ｍを交換する前だったのでトナー７３０Ｍが交換可能位置（４０１）にくるようにすればよい。しかし、仮にトナー７３０Ｍを交換した後であった場合、すでにトナー７３０Ｍは使用できる状態になっているので交換可能位置に移動させても、ユーザ（１０１）が未交換のトナー７３０Ｃを交換可能位置に移動させなければならない。そこで、Ｓ５１４でトナー交換モードに移行した際に、プリンタ部（３１４）から最新のデバイス情報を取得し、交換が必要であると判断されたトナー（この場合はトナー７３０Ｃ）を交換可能位置に移動するように制御してもよい。
【００４３】
このようにすることで、トナー交換中であっても素早くモノクロジョブを印刷することが可能となり、モノクロジョブ印刷後に自動的にトナー交換を中断した時の状態に戻ることでトナー交換を行っているユーザの作業も必要最低限にしている。また、モノクロジョブを印刷するためにユーザの許可を要することでユーザの意に反してトナー交換中にモノクロジョブが印刷されてしまうこともない。
【００４４】
［実施例2］
実施例1ではトナー交換モード中はジョブの投入は可能だが、ユーザの許可なしでの印刷はできないものとしたが、モノクロジョブが投入された際に自動的にトナー交換モードを中断し、モノクロジョブを印刷するようにしてもよい。
【００４５】
この場合、図６のＳ５０５の判断が不要となり、コントローラユニット（３１３）はＳ５０４でモノクロ印刷が可能な状態であることを検知したら、即座に上述したＳ５０７、Ｓ５０８の処理を行い、トナー交換モードを抜けるよう制御する。
【符号の説明】
【００４６】
１０１：ユーザ
１０２：ＰＣ
１０３：デバイス 
【図１】
2015145897.tif 000003
【図２】
2015145897.tif 000004
【図３】
2015145897.tif 000005
【図４】
2015145897.tif 000006
【図５】
2015145897.tif 000007
【図６】
2015145897.tif 000008